(57)【要約】【課題】  フード付き外衣着用中に首を回して左右を見ようとした場合、フードの中だけで頭部が動き、フードに視野を塞がれることが多い。本発明はこの様な場合でも、フードを頭部の動きに伴って動かす手段を提供する。【解決手段】  頭部に内バンドを巻き、その外側にフードを被り、そして頭部の左右の米噛み辺りの内バンドからフード留め具として外バンドを設け、フードの外側を巻く。或いは前記フード留め具を着脱自在な物として、フード顔面開口部内縁と内バンドとを繋ぐ。これにより頭部の動きが、内バンドを媒介として、フード留め具、フードと確実に伝わり、良好な視野を常に確保できる。【選択図】  図１
2018162535.tif 000002
【特許請求の範囲】
【請求項１】
頭部に巻かれる内バンドと、頭部の米噛み辺りで内バンドに取付けるフード留め具により、内バンドの外側に被せられるフードを頭部の動きに伴った動きをさせる事を特徴とするヘッドバンド
【請求項２】
請求項１記載のフード留め具が、前記内バンドと連結して前記フードの外側を巻く外バンドである、事を特徴とする請求項１記載のヘッドバンド
【請求項３】
請求項１記載のフード留め具が、前記内バンドと前記フード顔面開口部内縁と着脱自在に繋ぐ留め具である、事を特徴とする請求項１記載のヘッドバンド
【発明の詳細な説明】
【技術分野】
【０００１】
本発明はフードを頭部の動きに伴った動きをさせるヘッドバンドに関するものである。
【背景技術】
【０００２】
屋外で運動や作業に当たって、雨や防寒のためフード付き外衣を利用する事が多いが、フードの中だけで頭部が動いてフードが伴なって動かなくて困る事がある。          
殊に自転車運転でフード付きの雨着を着用した場合に、後方・側方の安全確認が不可欠となる。しかしその為に頭部を捻っても、雨着本体と一体化しているフードが雨着本体の向きと同じ前向きのままで、頭部の動きに伴なった回りをせず、後方・側方の視野を塞いで大変危険な場合がある。
【０００３】
そこで先願では、先ず見え易い様に透明素材をフードの顔面開口部上方および側方部分に使ったものがある。しかしこれはワイパーの無い車のフロントガラスと同様で、視界は不鮮明で、少し見つめての確認を要し、現実の自転車運転中の瞬間的安全確認には難がある。（特許文献１参照）
【０００４】
次に雨着本体とフードとの繋ぎ目を蛇腹状やガイドレール状にして、フード部分を雨着本体よりも頭部の動きに伴った回りをさせる試みである。しかしその繋ぎ目の水漏れ防止、装置の簡素化、軽量化などの実用的な要請に応えにくかった。（特許文献２、３参照）
【０００５】
またフードと頭部の動きを一体化させる方法として帽子の鍔や目庇帽等を使う方法があり、実用的で簡便である。しかし鍔の動きに押されてのフードの動きは不充分であり、相当オーバーな頭の捻りが必要となる。また頭部側面のフードは時には鍔をせり上がって外側に押され、頭部から離れやすく、フード開口正面は見えるが側面方向は目隠しとなり易い。また使用後の雨着の畳込み収納には、固い鍔が邪魔な事もある。（特許文献４、５参照）
【０００６】
その他、フードの顔面開口部辺縁、更には頬下から後頭部に紐を通して締め、フード全体を頭部に密着させる方法がある。またフード内側の左右のこめかみから額の上をベルトで繋ぎ頭部とフードの密着を図る特許文献もある。これらは頭部とフードが伴って回るのに寄与するが、防水素材のフードを頭部に密着させ、湿度がほぼ１００パーセントの雨天時に蒸れや不快な肌触りを増幅させる。（特許文献６、７参照）
【先行技術文献】
【特許文献】
【０００７】
【特許文献１】特許５５６０４６１
【特許文献２】実開平０７−００９９２３
【特許文献３】実登３０１３７９０
【特許文献４】特許３７３３３０７
【特許文献５】実登３０７８７８８
【特許文献６】特開２００２−１８０３１９
【特許文献７】実登３０２２６２５
【発明の概要】
【発明が解決しようとする課題】
【０００８】
雨天時に野外で活動する人にとっては、傘をさしていては本来の活動が出来ない事が多い。そこでフード付きレインコートやポンチョ等の雨具を着用するが、活動中に左右や後方を見るのにこれら雨具のフードが雨着本体の向きに引き連られ、なかなか頭の動きに伴って回ってくれず視野を妨げられることが多い。特に車道を走る自転車にとっては確実で素早い視野確保が安全への絶対条件である。
【０００９】
しかし従来のフード付き雨具は確実で素早い視野確保には難があり、また防水性のフード素材の密着による蒸れ等の不快感や閉塞感が強かった。
従前の先行技術はフード付き外衣自体に改善を加え課題を解決しようとしていたが、本発明は化学反応の媒体の様に内バンドを媒体としてこの課題解決を図るものである。
【００１０】
本発明の視野確保の第一は頭部の動きとフードの動きを完全に一致させる事である。更に人の左右の両眼で重複して見える前方１２０度程度の視野に留まらず、やや不完全ながら左右片目だけでも見える範囲を加えた前方２００度程度の本来の広い視野を、側頭部にせり出すフードに妨げられないで確保する事を課題とする。
【００１１】
次に雨天時の雨具の内側の蒸れ・不快感の軽減策として防水性のフードと肌の密着を少なくして少しでも外気を取り入れる事にある。同時に前風によるフードのめくれの防止も必要である。最後に当然ながら、着用・収納等の取扱いも簡単で軽く安価にする事も課題とする。
【課題を解決するための手段】
【００１２】
本発明は頭部の動きを、先ず内バンドの動きとし、次にフードの動きとする事で、確実な視界を確保する事です。その手段の主体は内バンドで、頭部に直に巻かれ頭部の動きを受け、それを米噛み辺りのフード留め具によってフードに伝達する。
【００１３】
前記内バンドのフード留め具の一つは、内バンドに繋がる外バンドであって、前記フードを外側から巻くことで、この内外両バンドで挟まれた前記フードを、頭部の動きに伴なって動かせる。
【００１４】
あるいは、前記内バンドのフード留め具のもう一つは、前記フードの顔面開口部内縁を、着脱自在な留め具で繋ぎ、前記フードを頭部の動きに伴なって動かす。
【発明の効果】
【００１５】
本発明では内バンドと外バンドでフードを挟み込んだり、フード開口部内縁を内バンドと着脱自在に連結させて、完全にフードを頭部の動きに伴って回させ、視野を確保出来た。
さらに側頭部のフードが繋ぎ留められており、これが頭部左右に広がって視界を邪魔する事も無く、視野確保は完全である。
【００１６】
本発明ではフードは顔面開口部の左右が繋ぎ留められているので、風を受けてのフードのめくれを防止できる。
【００１７】
そしてフードは内バンドの米噛み辺りの目の高さのみで頭部に密着する様になっているので、それ以外の顔面開口部からフード内に容易に空気を取入れられ、蒸れ・閉塞感を大きく縮減出来る。
更に内バンドの締付強度は通常着用の帽子程度で充分で、外バンドはフードを軽く引掛けるだけなので少したるみがある程度の締付強度でも充分で、両バンドによる締付けの圧迫感は無い。
【００１８】
形・使用方法共に簡易である。素材は布製で、雨具と同様に折畳み収納可能でかつ安価である。また簡単なバンドをするだけなので、煩わしい装着感が無く、視野は充分広く空気の取入れも十分でき、雨天といえども開放感を味わえる。
【００１９】
本発明は雨天の自転車運転だけでなく、広く野外でフード付き雨具で作業やスポーツする場合や、防寒用フードを着用する人にも利用できる。
【図面の簡単な説明】
【００２０】
【図１】請求項２の使用状態斜視図である。左右の米噛み辺りの内バンドから外バンドが発してフードを後方で巻いている。
【図２】請求項２の正面図である。
【図３】請求項２の背面図である。
【図４】請求項２の左側面図である。右側面図はこれと対称なので省略した。
【図５】請求項２の平面図である。図の下方が正面で、上方は後頭部である。底面図はこれと同じなので省略した。
【図６】請求項３の使用状態斜視図である。
【図７】請求項３の使用状態斜視図のA―Aの一点鎖線での断面図である。            図の下方が正面で、左右と後方の外側の単線はフードを表した。
【図８】請求項３の正面図である。
【図９】請求項３の背面図である。
【図１０】請求項３の左側面図である。右側面図はこれと対称なので省略した。
【図１１】請求項３の平面図である。図の下方が正面で、上方は後頭部である。図の下方が正面である。底面図はこれと同じなので省略した。図の下方が正面で、上方は後頭部である。
【発明を実施するための形態】
【００２１】
以下、本願の実施の形態を実施例１を図１〜図５を使って、また実施例２を図６〜図１１を使って説明する。
【実施例１】
【００２２】
実施例１の図１の使用状態斜視図での着用方法は、先ず頭部に直に内バンドを着用し、次に雨着のフードを被り、最後に米噛み辺りで内バンドに繋がる外バンドをその上に側頭部から後頭部に被せる。これでフードは内外バンドに挟み込まれる事になる。
【００２３】
実施例１の内外両バンドは長さ調整具を用いてサイズを合わせるより、伸縮素材を使えば着脱がより簡便になり、またアクリルなどの脱水性の良い素材なら使用後の収納が易しくなる。
【実施例２】
【００２４】
実施例２の図６の使用状態斜視図では、内バンドは実施例１と同じで、米噛み辺りで内バンドに設ける着脱自在なフード留め具が、フード顔面開口部の左右端を留め具として、クリップ、面ファスナー或いはボタン等を使う。フード留め具は内バンドの外側になり顔面には触れないが、出来るだけ角が無く柔らかい材料を使いたい。
【００２５】
実施例１の外バンドを使うのが取扱いは簡便である。実施例２の面ファスナーで繋ぐのは外見上は気づかれず、目立ちたくない人には好まれる。また繋ぎのボタンを花や蝶等のデザイン性の高い物にしてファッション性を持たせることも出来る。勿論、実施例１の内バンド・外バンドとも色等のデザインを工夫してファッション性を持たせられる。
【００２６】
前記の両実施例とも、少しでも着用での不快感を少なくする為、吸汗性が有り洗濯・脱水・乾燥に適した素材が望ましい。
【図１】
2018162535.tif 000003
【図２】
2018162535.tif 000004
【図３】
2018162535.tif 000005
【図４】
2018162535.tif 000006
【図５】
2018162535.tif 000007
【図６】
2018162535.tif 000008
【図７】
2018162535.tif 000009
【図８】
2018162535.tif 000010
【図９】
2018162535.tif 000011
【図１０】
2018162535.tif 000012
【図１１】
2018162535.tif 000013